(57)【要約】【課題】  墨を収容しておく内層と、墨糸に墨を転移させる外層を備えた墨線引き器の墨収容体であって、難しい操作を必要とすることなく内層から外層を経て墨糸に適量の墨を転移させるものでありながら、収容された墨を効率的に使用することができる墨収容体を提供すること。【解決手段】  墨線引き器に取り付けられ、墨糸２に墨を供給する墨収容体であって、墨を収容しておく内層６ａと、墨糸２に墨を転移させる外層６ｂを備え、内層６ａと外層６ｂの間に墨通孔５ｃを備えた隔壁５ｂが形成され、該墨通孔５ｃを塞ぐように内層６ａから外層６ｂへの墨の移行を伝達する伝達部材７を介在させてある構成としたこと。【選択図】        図３
2006123104.tif 000002
【特許請求の範囲】
【請求項１】
墨線引き器に取り付けられ、墨糸(2)に墨を供給する墨収容体であって、
墨を収容しておく内層(6a)と、墨糸(2)に墨を転移させる外層(6b)を備え、
内層(6a)と外層(6b)の間に墨通孔(5c)を備えた隔壁(5b)が形成され、該墨通孔(5c)を塞ぐように内層(6a)から外層(6b)への墨の移行を伝達する伝達部材(7)を介在させてある墨収容体。
【請求項２】
前記伝達部材(7)は、墨通孔(5c)に挿通させて、略Ｚ字型に隔壁(5b)に挟みつけて取り付けられている請求項１に記載の墨収容体。
【請求項３】
前記内層(6a)と外層(6b)と伝達部材(7)は、回転ドラム(5)内に収容され、
外層(6b)に墨糸(2)が接するように、回転ドラム(5)の回転方向の外周面に環状の切開溝(5a)が回転方向に形成されている請求項１または２に記載の墨収容体。
【発明の詳細な説明】
【技術分野】
【０００１】
本発明は、大工職人が柱や板材に直線を描くのに使用するものであって、古くから「墨壺」と呼ばれている墨線引き器に取り付けられる墨収容体に関するものである。
【背景技術】
【０００２】
従来、「墨壺」と呼ばれている墨線引き器は、糸巻きリールから墨糸を引き出すときに墨入れに収納した墨肉上を滑らせて糸に墨を転移させ、墨糸の両端を安定させた状態で墨糸を指で弾くことにより柱等の目的物に直線を描くことができるように形成されている。
【０００３】
しかし、上記の従来構造では、墨肉はその上面が露出されているので、雨や乾燥に弱く、且つ持ち運びのときに衣服や他の道具に墨が付着する等の問題点があった。加えて、墨糸が墨肉上を滑ることにより墨糸へ墨転移が行われているため、墨肉の傷みが早く、且つ摩擦によって墨糸の寿命も短くなって糸切れが発生し易い等の欠点があった。更に、水平面上で使用するときは墨肉内の墨が安定して墨糸へ墨転移が均一に行われるが、横向きや傾斜面で使用すれば墨肉内の墨が比重によってかたより、その為、墨糸への墨転移が不均一になって線がかすれる等の弊害があった。
【０００４】
そこで、前記の課題を解決するために、本発明者は、特開２００４−６８４７４号公報に見られるように、正逆回転する回転ドラム内に、墨肉即ち墨含浸材を内層として、その外周面に墨通孔を有する隔壁を形成し、さらにその外周面に墨糸に墨を転移する外層を形成した構造とし、回転ドラムの周面の一部を細くリング状に切開して墨糸を墨含浸材に接触させ、墨糸を引き戻しして回転ドラムを正逆回転させることによりかかる遠心力で墨糸への墨転移を行うようにした新規な墨線引き器を開発し、過去に出願を行い、この技術はすでに公知となっている。
【０００５】
また、前記の課題を解決するための別の手段として、実開６０−１５７１９１号公報に見られるように、内部に墨汁収納部を有し、回転自在に支承された中空円盤状墨壺の外周面に、この墨壺周壁に形成の孔を介して内部の墨汁収納部に連通する墨汁含浸層を形成し、その外周に墨糸を引き戻し自在に巻きつけてあり、墨壺内部の墨汁を墨壺周壁に形成の孔を通して墨汁含浸層に浸透させ、墨汁含浸層から巻きつけてある墨糸に墨を転移させ、引き出した墨糸の墨量を別に設けられた墨付け調節部で調節する墨縄が存在し、これも公知である。
【特許文献１】特開２００４−６８４７４号公報
【特許文献２】実開６０−１５７１９１号公報
【発明の開示】
【発明が解決しようとする課題】
【０００６】
しかしながら、前者の墨線引き器は、内層と外層が墨通孔を有する隔壁によって隔てられており、墨糸の引き戻しにともなう回転の遠心力によって、墨を内層から墨通孔を経て外層、そして墨糸に転移させる構成であるので、不使用時には外層は墨で満たされておらず、この状態から墨糸の引き戻しにより外層を墨で満たして墨糸に墨を転移させるという難しい調整が必要であり、内層の墨の含浸量や、墨糸の引き戻し操作のやり方によっては、墨が内層から外層に転移しなかったり、墨が内層から外層に転移しすぎて墨糸に墨が付着しすぎたりすることがある。また、内層の墨保持力により、遠心力によっても外層に転移してこないで、内層に使い残しとして残る墨があり、経済的でない。
【０００７】
他方、後者の墨縄は、中空円盤状墨壺の内部に墨汁が液体状でそのまま収容されているので、墨汁が墨壺周壁に形成の孔を通して墨汁含浸層から墨糸に必要以上に転移し、その結果、墨糸に付着した墨量を調節する為に、別に墨付け調節部を必要とする構成となっている。
【０００８】
そこで、本発明は、墨を収容しておく内層と、墨糸に墨を転移させる外層を備えた墨線引き器の墨収容体であって、難しい操作を必要とすることなく内層から外層を経て墨糸に適量の墨を転移させるものでありながら、収容された墨を効率的に使用することができる墨収容体を提供するものである。
【課題を解決するための手段】
【０００９】
この課題を解決するために講じた本発明の構成を、実施例を示す図面に使用した符号を用いて説明すると、本発明は、墨線引き器に取り付けられ、墨糸２に墨を供給する墨収容体であって、墨を収容しておく内層６ａと、墨糸２に墨を転移させる外層６ｂを備え、内層６ａと外層６ｂの間に墨通孔５ｃを備えた隔壁５ｂが形成され、該墨通孔５ｃを塞ぐように内層６ａから外層６ｂへの墨の移行を伝達する伝達部材７を介在させてある構成としたものである。
【発明の効果】
【００１０】
本発明の墨線引き器の墨収容体は、墨を収容しておく内層と、墨糸に墨を転移させる外層を備え、内層と外層の間に墨通孔を備えた隔壁が形成され、該墨通孔を塞ぐように内層から外層への墨の移行を伝達する伝達部材を介在させてある構成したものであるから、内層に含浸させた墨は、伝達部材によって内層から吸い上げられ、伝達部材から外層へと浸透しながら転移するので、すなわち、毛細管現象による浸透力により内層から伝達部材、そして外層へと墨が転移するので、確実に墨を外層から墨糸に供給することができるものでありながら、内層、伝達部材、外層と多段階的に毛細管現象を誘発する構成であるので、内層、伝達部材、外層のそれぞれの墨保持力により、必要以上の多量の墨が内層から伝達部材、外層へと転移して墨が滴るということがない。つまり、毛細管現象による浸透力と内層、伝達部材、外層のそれぞれの墨保持力のバランスにより、内層の墨含浸量や、墨糸の引き戻し操作に影響されることなく、常に適量の墨を外層から墨糸に供給して、むらのない墨線を引くことができる。また、外層から墨糸に墨が転移するとともに、内層に含浸させた墨は、順次伝達部材によって内層から吸い上げられ、伝達部材から外層へと浸透しながら転移し補充されるので、常に適量の墨を外層から墨糸に供給し続けることができるとともに、内層に含浸させた墨を効率的に使い切ることができる。さらに、常に適量の墨を外層から墨糸に供給できることにより、別に墨糸の墨の量を調節する墨付け調節部等の構成は必要なく、墨線引き器の全体の構成が簡素で製品コストを抑制することにも寄与している。
【発明を実施するための最良の形態】
【００１１】
本発明を実施するにあたって、伝達部材７は、墨通孔５ｃに挿通させて、略Ｚ字型に隔壁５ｂに挟みつけて取り付けられている構成で実施すると、伝達部材７は、内層６ａと外層６ｂの間に、内層６ａ、外層６ｂのそれぞれに接するように介在する状態をとりながら、略Ｚ字型の構造で墨通孔５ｃを確実に塞いで、内層６ａと外層６ｂが直に接触することを妨げて、内層６ａから外層６ｂに墨が直接的に転移することを防止し、また、それ自体が略Ｚ字型の構造で隔壁５ｂに確実に固定される状態におかれるので、毛細管現象による浸透力で内層６ａから伝達部材７、そして外層６ｂへと多段階的に墨を伝達する作用を確実に実現することができる。しかしながら、伝達部材７の取り付け方は、この略Ｚ字型に隔壁５ｂに挟みつけて取り付ける方法のみに限定されるものでなく、墨通孔５ｃに挿通させて、略コの字型、略Ｔの字型、略Ｉ字型等に隔壁５ｂに挟みつけて取り付けることもでき、その他様々な形態で実施することができる。
【００１２】
また、内層６ａと外層６ｂと伝達部材７は、回転ドラム５内に収容され、外層６ｂに墨糸２が接するように、回転ドラム５の回転方向の外周面に環状の切開溝５ａが回転方向に形成されている構成で実施すると、前述の効果に加えて、糸引き出し時に回転ドラム５が回転して墨糸２が外層６ｂに対して圧縮した状態で接触するので、滑りによる摩擦が殆ど生じることが無く、外層６ｂや墨糸２に対する損傷を防止でき、且つ回転ドラム５の回転によりスムーズに糸を引き出すことができて、糸詰まりや糸切れを未然に防止することができ、更には、内層６ａはもちろんのこと、外層６ｂの殆どの部分が回転ドラム５内に収納されて隠されているため、乾燥や雨に強く、横向きや傾斜面で使用しても水平面での使用と変わらない線引きができるといった効果が得られる。また、墨糸の引き戻しにともなう回転ドラム５の回転の遠心力によって、内層６ａに含浸させた墨を伝達部材７、外層６ｂ、墨糸２へ転移させるのに助けとなることはあっても、内層６ａ、伝達部材７、外層６ｂのそれぞれが墨保持力を有する多段階の構造に阻まれ、墨糸に墨が多量に付着して墨が滴ることにはならない。
【００１３】
前記回転ドラム５に収納された内層６ａ、伝達部材７、外層６ｂは、スポンジやフェルト、不織布若しくはこれらの混合材料等で形成され、好ましくは綿、麻、絹等の天然性の素材で形成して毛細管現象が効率的に起こるようにするのが好ましい。この際、内層６ａ、伝達部材７、外層６ｂと順次素材が密になるように形成すると、毛細管現象により効率的に墨を転移させることができる点において好ましい。
【実施例】
【００１４】
以下本発明の実施例について図面に基づいて説明する。図１乃至図５は、本願第１実施例の墨線引き器における墨収容体を示す図であって、図１は全体の平面形状を表す図、図２は同平面形状において開口部の蓋を開口した状態を表す図、図３は同じく回転ドラム部分で縦断した部分断面図、図４は回転ドラム部分を横断した拡大断面図、図５は回転ドラムの拡大分解断面図である。
【００１５】
図１，２に示した符号Ａはフレームであって、墨線引き器の外観を形成し、これの後部に糸巻きリール１が装着されている。この糸巻きリール１はスプリングによって常時糸の巻取り状態に自動復帰する構造となっている。また前記フレームＡの先端には糸巻きリール１に巻かれた墨糸２を取り出す糸取出口３が設けられ、この糸取出口３に墨糸２の先端を連結した糸止め４が着脱自在に装着されている。該糸止め４は針４ａを備えている。
【００１６】
更に、前記糸巻きリール１と糸取出口３との間に、墨糸２の引き戻しによって正逆回転するようにその周面に前記墨糸２が圧接された墨付け用の回転ドラム５が着脱自在に配置されている。図３に見られるように、回転ドラム５は、隔壁５ｂによって隔離された内層６ａ並びに外層６ｂの二つの層で形成され、隔壁５ｂには、回転ドラム５の回転方向であって等間隔に２箇所、内層６ａから外層６ｂへ墨を移行させる小さな墨通孔５ｃが設けられている。尚、本実施例では、墨通孔５ｃは２箇所形成したが、２箇所に限定されるものではなく、１箇所でも３箇所以上であってもよい。
【００１７】
図４に示すように、この内層６ａと外層６ｂの間には、長さ１６ｍｍ、幅１０ｍｍの伝達部材７が、隔壁５ｂの墨通孔５ｃに挿通されて墨通孔５ｃを塞ぐとともに、墨通孔５ｃに挿通された状態から断面視略Ｚ字型に折り曲げられて隔壁５ｂを挟み込むように固定され、内層６ａ、外層６ｂのそれぞれと接する状態で介在している。本実施例では内層６ａは不織布が使用され、伝達部材７、外層６ｂはフェルトが使用されており、内層６ａ、伝達部材７、外層６ｂと順次素材の密度が密になるように形成されている。尚、言うまでもなく、伝達部材７は、２箇所の墨通孔５ｃのそれぞれの箇所に取り付けられている。
【００１８】
回転ドラム５の外周には回転ドラム５の回転方向の外周壁の一部が回転方向に細くリング状に切開されて切開溝５ａが形成されて、墨糸２が回転ドラム５の切開溝５ａから露出した外層６ｂに接するように設置されている。尚、図中符号９は前記回転ドラム５を取り出すためにフレームＡに形成された開口部を開閉する蓋である。
【００１９】
回転ドラム５を構成する部材のうち、図５に示すように、本体部１１は、側面視円形状の側面部１２を備え、該側面部１２にはフレームＡに回転自在に取り付けるための軸端１３をその回転中心に備えている。そして、円形の側面部１２から断面視で略直に立ち上げられ、内層６ａと外層６ｂを隔てる隔壁５ｂが形成され、その一部に墨通孔が形成されている。さらに、隔壁５ｂから断面視で径方向外方に鉤型に立ち上げられた立ち上がり壁１４が形成され、後述するパッキング２１から断面視で径方向外方に鉤型に立ち上げられた立ち上がり壁２４とで外層壁８を形成する。回転ドラム５の側面部１２と隔壁５ｂとで、内層６ａの空間が形成され、隔壁５ｂと外層壁８とで、外層６ｂの空間が形成される。
【００２０】
パッキング２１は、本体部１１の側面部１２側から本体部１１に取り付けられ、本体部１１の隔壁５ｂの一部の外面に接合する接合壁２２を備え、該接合壁２２から断面視で径方向外方に鉤型に立ち上げられた立ち上がり壁２４が形成され、パッキング２１を本体部１１に取り付けたときに、本体部１１に形成された立ち上がり壁１４とパッキング２１に形成された立ち上がり壁２４が、断面視で鉤型形状の末端同士がおよそ墨糸一本分の幅で対向して、立ち上がり壁１４と立ち上がり壁２４とで外層壁８が形成される。本体部１１の立ち上がり壁１４とパッキング２１の立ち上がり壁２４の末端同士のおよそ墨糸一本分の幅は、外層壁８の回転方向外周面に形成された切開溝５ａを構成し、この切開溝５ａの部分で墨糸２を外層６ｂに圧接させることができる。
【００２１】
パッキング３１は、側面視円形状の側面部３２を備え、該側面部３２にはフレームＡに回転自在に取り付けるための、本体部１１の軸端１３に対応するもう一方の軸端３３をその回転中心に備えている。そして、本体部１１の隔壁５ｂの一部に外面から係合する係合壁３４が側面部３２から断面視で略直に形成され、本体部１１の内層６ａの開口側から取り付けられる。
【００２２】
回転ドラム５の組み立てにあたっては、本体部１１に外層６ｂをセットし、そして伝達部材７を墨通孔５ｃに挿通した後に略Ｚ字型に折り曲げて、隔壁５ｂに挟み込むようにセットし、パッキング２１を本体部１１の側面部１２側から取り付けて、外層６ｂ並びに伝達部材７を固定する。次いで、内層６ａを充填し、墨液を注入し、開口部側からパッキング３１を取り付けて、図４に示すように、内層６ａを密閉状態にする。
【００２３】
上記の如く構成された墨収容体は、内層６ａに含浸された墨の量にもよるが、およそ４時間から半日弱で、内層６ａに含浸された墨が、毛細管現象により、内層６ａから伝達部材７へ浸透し、さらに伝達部材７から外層６ｂに浸透する。そして、使用時には、回転ドラム５の軸端１３と軸端３３を墨線引き器のフレームＡに取り付けて、回転ドラム５の切開溝５ａの部分から墨糸２を外層６ｂに対して圧縮した状態で接触させ、糸止め４に接続された墨糸２の引き出しを行うことにより、場合によって墨糸２の引き戻しを繰り返すことにより、回転ドラム５が回転して外層６ｂに含浸した墨を墨糸２に転移させる。このとき、墨糸２は回転ドラム５の外層６ｂに対して圧縮した状態で接触するので、従来のような滑りによる摩擦が殆ど生じることが無く、外層６ｂや墨糸２に対する損傷を防止でき、且つ回転ドラム５の回転によりスムーズに墨糸２を引き出すことができて、糸詰まりや糸切れを未然に防止することができる。
【００２４】
以上本発明の代表例と思われる実施例について説明したが、本発明は、上述の実施例にのみ限定されるものではなく、例えば、内層６ａと外層６ｂの間に伝達部材７を介在させる形態は、実施例で挙げた以外にも種々多様な形態が考えられ、その他本発明にいう前記の構成要件を備え、かつ本発明にいう目的を達成し、本発明にいう効果を有する範囲内において適宜改変して実施することができるものである。
【産業上の利用可能性】
【００２５】
本発明の墨収容体は、毛細管現象により、内層から伝達部材、外層へ墨を転移させながら、多段階構造により多量の墨の漏出を防止するので、常に適量の墨を墨糸に供給することができ、墨収容体単体で、あるいは、墨線引き器に取り付けられて市場で販売され、大いに歓迎されるものと思われる。
【図面の簡単な説明】
【００２６】
【図１】第１実施例の墨収容体が取り付けられた墨線引き器を示す平面図。
【図２】上記墨線引き器の回転ドラムを閉じる蓋を開放した状態を示す平面図。
【図３】上記墨線引き器の要部の縦断面図。
【図４】上記墨線引き器に取り付けられている墨収容体の拡大横断面図。
【図５】上記墨線引き器に取り付けられている墨収容体の拡大分解横断面図。
【符号の説明】
【００２７】
Ａ  フレーム
１  糸巻きリール
２  墨糸
３  糸取出口
４  糸止め
４ａ  針
５  回転ドラム
５ａ  切開溝
５ｂ  隔壁
５ｃ  墨通孔
６ａ  内層
６ｂ  外層
７  伝達部材
８  外層壁
９  蓋
１１  本体部
１２  側面部
１３  軸端
１４  立ち上がり壁
２１  パッキング
２２  接合壁
２４  立ち上がり壁
３１  パッキング
３２  側面部
３３  軸端
３４  係合壁
【図１】
2006123104.tif 000003
【図２】
2006123104.tif 000004
【図３】
2006123104.tif 000005
【図４】
2006123104.tif 000006
【図５】
2006123104.tif 000007